(57)【要約】【課題】  この発明は、あまり複雑な構成を備えることなく、映像出力装置のリモコンを用いて映像出力装置に接続された外部機器の制御を行えるようにすることを目的としている。【解決手段】  第１の操作モードにおいて映像出力装置２０に接続された外部機器１３１が指定される手段１０３ｂと、外部機器が指定された際に、外部機器固有のリモコンコードを受信する手段１０６と、受信されたリモコンコードを記憶する手段１０２と、第２の操作モードにおいて映像出力装置２０と通信を行い、外部機器１３１が接続されていることを確認する手段１１０と、外部機器１３１が接続されていることが確認された場合は記憶された外部機器固有のリモコンコードを出力するように構成している。【選択図】  図１
2006013564.tif 000002
【特許請求の範囲】
【請求項１】
映像出力装置を制御するためのリモートコントローラにおいて、
第１の操作モードにおいて映像出力装置に接続された外部機器のうちの少なくとも一つが指定される外部機器指定手段と、
前記外部機器指定手段で第１の外部機器が指定された際に、第１の外部機器から出力された第１の外部機器固有のリモコンコードを受信するリモコンコード受信手段と、
前記受信された第１の外部機器固有のリモコンコードを記憶するリモコンコード記憶手段と、
第２の操作モードにおいて映像出力装置と通信を行い、映像出力装置に第１の外部機器が接続されていることを確認する外部機器確認手段と、
前記外部機器確認手段で映像出力装置に第１の外部機器が接続されていることが確認された場合は前記リモコンコード記憶手段に記憶された第１の外部機器固有のリモコンコードを出力するリモコンコード出力手段とを備えることを特徴とするリモートコントローラ。
【請求項２】
前記第１の操作モードは映像出力装置に接続される外部機器のリモコンコードの記憶を行うモードであり、前記第２の操作モードは映像出力装置に接続される外部機器の制御を行うモードであることを特徴とする請求項１に記載のリモートコントローラ。
【請求項３】
第１の操作モードにおいて映像出力装置に接続された外部機器のうちの少なくとも一つが指定されるステップと、
第１の外部機器が指定された際に、第１の外部機器から出力された第１の外部機器固有のリモコンコードを受信するステップと、
前記受信された第１の外部機器固有のリモコンコードを記憶するステップと、
第２の操作モードにおいて映像出力装置と通信を行い、映像出力装置に第１の外部機器が接続されていることを確認するステップと、
映像出力装置に第１の外部機器が接続されていることが確認された場合は前記記憶された第１の外部機器固有のリモコンコードを出力するステップとを備えることを特徴とする制御方法。
【請求項４】
リモートコントローラによってその動作が指示される映像出力装置において、
映像出力装置に接続される外部機器が設定される接続外部機器設定手段と、
リモートコントローラと通信を行う通信手段と、
前記接続外部機器設定手段で設定された情報に基づいて、前記通信手段を用いて前記リモートコントローラへ、映像出力装置に第１の外部機器が接続されていることを通知する外部機器接続通知手段と、
前記通知に基づいて前記リモートコントローラから出力された第１の外部機器固有のリモコンコードを、前記通信手段を用いて受信するリモコンコード受信手段と、
前記受信した第１の外部機器固有のリモコンコードに基づいて第１の外部機器からの映像を出力する映像出力手段とを備えることを特徴とする映像出力装置。
【請求項５】
前記通信手段はリモートコントローラに対してリモコンコードを出力するリモコンコード出力手段およびリモートコントローラから出力されるリモコンコードを受信するリモコンコード受信手段を含むことを特徴とする請求項４に記載の映像出力装置。
【請求項６】
映像出力装置に接続される外部機器が設定されるステップと、
リモートコントローラと通信を行うステップと、
前記設定された情報に基づいて、前記リモートコントローラへ、映像出力装置に第１の外部機器が接続されていることを通知するステップと、
前記通知に基づいて前記リモートコントローラから出力された第１の外部機器固有のリモコンコードを、受信するステップと、
前記受信した第１の外部機器固有のリモコンコードに基づいて第１の外部機器からの映像を出力するステップとを備えることを特徴とする映像出力方法。
【請求項７】
第１の操作モードにおいて映像出力装置に接続された外部機器のうちの少なくとも一つが指定される外部機器指定手段と、前記外部機器指定手段で第１の外部機器が指定された際に、第１の外部機器から出力された第１の外部機器固有のリモコンコードを受信するリモコンコード受信手段と、前記受信された第１の外部機器固有のリモコンコードを記憶するリモコンコード記憶手段と、第２の操作モードにおいて映像出力装置と通信を行い、映像出力装置に第１の外部機器が接続されていることを確認する外部機器確認手段と、前記外部機器確認手段で映像出力装置に第１の外部機器が接続されていることが確認された場合は前記リモコンコード記憶手段に記憶された第１の外部機器固有のリモコンコードを出力するリモコンコード出力手段とを備えるリモートコントローラと、
映像出力装置に接続される外部機器が設定される接続外部機器設定手段と、前記リモートコントローラと通信を行う通信手段と、前記接続外部機器設定手段で設定された情報に基づいて、前記通信手段を用いて前記リモートコントローラへ、映像出力装置に第１の外部機器が接続されていることを通知する外部機器接続通知手段と、前記通知に基づいて前記リモートコントローラから出力された第１の外部機器固有のリモコンコードを、前記通信手段を用いて受信するリモコンコード受信手段と、前記受信した第１の外部機器固有のリモコンコードに基づいて第１の外部機器からの映像を出力する映像出力手段とを備える映像出力装置を備える映像出力システム。
【発明の詳細な説明】
【技術分野】
【０００１】
この発明は、リモートコントローラによってその動作が指示される映像出力装置に関する。またこの発明は、リモートコントローラによって映像出力装置に接続される外部機器その動作が指示される映像出力装置に関する。
【背景技術】
【０００２】
近年、映像出力装置の動作を指示するリモートコントローラが、一般的に用いられている。
【０００３】
特許文献１には複数のリモートコントローラ（以下リモコンと称す）を統合して１つのシステムで全てのリモコン機器の操作を簡単にするための技術が開示されている。しかしながら、この特許文献１では中継器を構成する必要があり、実用的な面で、充分であるとはいえなかった。
【特許文献１】特開平８−２２３６６１号公報
【発明の開示】
【発明が解決しようとする課題】
【０００４】
そこで、この発明は上記事情を考慮してなされたもので、例えば中継器等、あまり複雑な構成を備えることなく、映像出力装置のリモコンを用いて映像出力装置に接続された外部機器の制御を行えるようにすることを目的とする。
【課題を解決するための手段】
【０００５】
この発明に係るリモートコントローラは、第１の操作モードにおいて映像出力装置に接続された外部機器のうちの少なくとも一つが指定される外部機器指定手段と、前記外部機器指定手段で第１の外部機器が指定された際に、第１の外部機器から出力された第１の外部機器固有のリモコンコードを受信するリモコンコード受信手段と、前記受信された第１の外部機器固有のリモコンコードを記憶するリモコンコード記憶手段と、第２の操作モードにおいて映像出力装置と通信を行い、映像出力装置に第１の外部機器が接続されていることを確認する外部機器確認手段と、前記外部機器確認手段で映像出力装置に第１の外部機器が接続されていることが確認された場合は前記リモコンコード記憶手段に記憶された第１の外部機器固有のリモコンコードを出力するリモコンコード出力手段とを備えるように構成したものである。
【０００６】
この発明に係る制御方法は、第１の操作モードにおいて映像出力装置に接続された外部機器のうちの少なくとも一つが指定されるステップと、第１の外部機器が指定された際に、第１の外部機器から出力された第１の外部機器固有のリモコンコードを受信するステップと、前記受信された第１の外部機器固有のリモコンコードを記憶するステップと、第２の操作モードにおいて映像出力装置と通信を行い、映像出力装置に第１の外部機器が接続されていることを確認するステップと、映像出力装置に第１の外部機器が接続されていることが確認された場合は前記記憶された第１の外部機器固有のリモコンコードを出力するステップとを備えるように構成したものである。
【０００７】
この発明に係る映像出力装置は、映像出力装置に接続される外部機器が設定される接続外部機器設定手段と、リモートコントローラと通信を行う通信手段と、前記接続外部機器設定手段で設定された情報に基づいて、前記通信手段を用いて前記リモートコントローラへ、映像出力装置に第１の外部機器が接続されていることを通知する外部機器接続通知手段と、前記通知に基づいて前記リモートコントローラから出力された第１の外部機器固有のリモコンコードを、前記通信手段を用いて受信するリモコンコード受信手段と、前記受信した第１の外部機器固有のリモコンコードに基づいて第１の外部機器からの映像を出力する映像出力手段とを備えるように構成したものである。
【０００８】
この発明に係る映像出力方法は、映像出力装置に接続される外部機器が設定されるステップと、リモートコントローラと通信を行うステップと、前記設定された情報に基づいて、前記リモートコントローラへ、映像出力装置に第１の外部機器が接続されていることを通知するステップと、前記通知に基づいて前記リモートコントローラから出力された第１の外部機器固有のリモコンコードを、受信するステップと、前記受信した第１の外部機器固有のリモコンコードに基づいて第１の外部機器からの映像を出力するステップとを備えるように構成したものである。
【発明の効果】
【０００９】
上記した構成によれば、映像出力装置に接続された外部機器で使用されるリモコンコードを、映像出力装置を制御するリモコン（例えばＴＶリモコン）の記憶手段に記憶させておくことにより、例えばＴＶリモコンを用いて外部接続機器を制御することが可能となる。このとき、例えばＴＶリモコンは制御する外部接続機器を判別するので、誤動作を防止することが可能となる。
【発明を実施するための最良の形態】
【００１０】
以下図面を参照してこの発明の実施の形態を説明する。
【００１１】
図１はこの発明の実施の形態を示すもので、映像出力装置（放送受信装置）、映像出力装置（放送受信装置）を制御するリモートコントローラ、外部接続機器の概略を示す図である。
【００１２】
符号１０はリモートコントローラ（リモコン）である。また、符号２０は映像出力装置（放送受信装置）である。ここでは、リモートコントローラ（リモコン）１０と映像出力装置（放送受信装置）２０は、別体で構成されており、後述する赤外線リモコン送信機、赤外線リモコン受信機で通信を行う構成になっている。
【００１３】
まず、リモートコントローラ（リモコン）１０について説明する。
【００１４】
符号１０１はリモコンマイコン、符号１０２は記憶手段（ＥＥＰＲＯＭ）、符号１０３は機器切替ＳＷ、符号１０４はキー検出回路、符号１０５は赤外線リモコン送信機、符号１０６は赤外線リモコン受信機である。
【００１５】
リモートコントローラ（リモコン）１０は図２に示すように操作ボタン（操作キー：キー）を備えている。この操作ボタン（操作キー）はユーザによって操作される。リモートコントローラ（リモコン）１０は、ユーザによって操作ボタン（操作キー）が操作（押下）されると、この操作された操作キーに対応する信号（キー信号）をキー検出回路１０４によって検出する。キー検出回路１０４で検出されたキー信号はリモコンマイコン１０１へ送信される。
【００１６】
リモコンマイコン１０１はキー検出回路１０４から送信されたキー信号を受信し、各キー信号に対応した信号を赤外線リモコン送信機１０５に向けて出力する。
【００１７】
赤外線リモコン送信機１０５はリモコンマイコン１０１から出力された各キー信号に対応した信号を受信し、それぞれ赤外線信号に変換して、リモートコントローラ（リモコン）１０の外部へ向けて出力する。
【００１８】
また、後述するように、機器切替ＳＷ１０３にてスイッチを切り替えることにより、赤外線リモコン受信機１０６で受信した赤外線信号（リモコン信号）をリモコンマイコン１０１にてデコードし、映像出力装置（放送受信装置）２０に接続される各外部機器１３１（後述）のリモコンコードを記憶手段（ＥＥＰＲＯＭ１０２）に記憶する。
【００１９】
次に、映像出力装置（放送受信装置）２０について説明する。ここでは、映像出力装置（放送受信装置）２０は放送を受信する放送受信手段を備えている。
【００２０】
符号１１０はテレビマイコン、符号１１１はアンテナ、符号１１２は受信回路、符号１１３はオンスクリーン表示発生回路、符号１１４はＩＥＥＥ１３９４制御マイコン、符号１１５は映像・音声切換制御回路、符号１１６は映像・音声出力処理回路、符号１１７は表示部（ＣＲＴ）、符号１１８はスピーカ、符号１１９は赤外線リモコン送信機、符号１２０は赤外線リモコン受信機、符号１３０はI-LINK(R)対応デジタル機器、符号１３１は外部接続機器である。
【００２１】
受信アンテナ１１１は、図示しない放送局から送信された放送信号を受信する。受信アンテナ１１１で受信された放送信号は受信回路１１２へ向けて出力される。受信回路１１２は、受信アンテナ１１１から出力された放送信号を受信し、テレビマイコン１１０に制御され、例えば周波数に基づいて、放送の選択すなわち選局を行う。放送は映像信号及び／または音声信号を構成している。
【００２２】
受信回路１１２で選局された映像信号及び／または音声信号は映像・音声切換制御回路１１５に向けて出力される。
【００２３】
映像・音声切換制御回路１１５は、受信回路１１２から出力された映像信号及び／または音声信号を受信する。また、ＶＴＲやＤＶＤ等の外部機器１３１から出力される信号（映像信号及び／または音声信号）を受信する。
【００２４】
ここでは、映像出力装置（放送受信装置）２０はi-LINK(R)対応デジタル機器１３０が接続される。
【００２５】
i-LINK(R)対応デジタル機器１３０から出力された信号（映像信号及び／または音声信号）は、IEEE1394制御マイコン１１４に向けて出力される。IEEE1394制御マイコン１１４は、i-LINK(R)対応デジタル機器１３０から出力された信号（映像信号及び／または音声信号）を受信し、映像・音声切換制御回路１１５に向けて出力する。映像・音声切換制御回路１１５は、IEEE1394制御マイコン１１４から出力された信号（映像信号及び／または音声信号）を受信する。
【００２６】
映像・音声切換制御回路１１５はテレビマイコン１１０によって制御される。すなわち、上記外部機器１３１から出力された信号（映像信号及び／または音声信号）、上記受信回路１１２から出力された信号（映像信号及び／または音声信号）、上記IEEE1394制御マイコン１１４から出力された信号（映像信号及び／または音声信号）は映像・音声切換制御回路１１５に入力され、テレビマイコン１１０によって制御され、映像・音声出力処理回路１１６に向けて出力される。
【００２７】
ユーザによってリモートコントローラ（リモコン）１０が操作され、選局及び入力切換が行なわれる。この際、リモートコントローラ（リモコン）１０から出力されたリモコン信号が赤外線リモコン受信機１２０で受信される。
【００２８】
赤外線リモコン受信機１２０で受信されたリモコン信号は、テレビマイコン１１０へ送信され、デコード処理が行われる。テレビマイコン１１０は、このデコード処理が行われた信号に基づいて、映像・音声切換制御回路１１５を制御する。
【００２９】
また、テレビマイコン１１０は、オンスクリーン表示発生回路１１３を制御する。オンスクリーン表示発生回路１１３はオンスクリーン表示（ＯＳＤ）信号を出力する。オンスクリーン表示発生回路１１３から出力されたオンスクリーン表示（ＯＳＤ）信号は、テレビマイコン１１０の制御によって、映像・音声出力処理回路１１６に入力される。
【００３０】
映像・音声出力処理回路１１６は、オンスクリーン表示発生回路１１３から出力されたオンスクリーン表示（ＯＳＤ）信号を、映像信号に重畳して、ＣＲＴ（表示部）１１７へ表示する。また、赤外線リモコン受信機１２０で受信したリモコン信号に応じて、オンスクリーン表示発生回路１１３でオンスクリーン表示によって、例えばビデオ入力に接続された外部機器を設定することも可能である。
【００３１】
また、テレビマイコン１１０は、必要によって、赤外線リモコン送信機１１９からリモートコントローラ（リモコン）１０の赤外線リモコン受信機１０６に向けて、リモコン信号を送出することも可能である。例えば、映像・音声切換制御回路１１５の入力が切り換わった際に切り替えられた入力に応じた外部機器を知らせる為のリモコン信号を送出する。
【００３２】
図２はこの発明の実施の形態を示すもので、映像出力装置（放送受信装置）２０を制御するリモートコントローラ１０の概略を示す図である。
【００３３】
符号１０３ａはモード切替ＳＷ（モード切替スイッチ）、符号１０３ｂは外部機器切替ＳＷ（外部機器切替スイッチ）である。ここでは、モード切替ＳＷ１０３ａと外部機器切替ＳＷ１０３ｂを総称して機器切替ＳＷ１０３と呼ぶ。モード切替ＳＷ１０３ａおよび外部機器切替ＳＷ１０３ｂはユーザによって操作される。尚、図２は次に説明するリモコンコードが既に設定されている場合のモード切替ＳＷ１０３ａと外部機器切替ＳＷ１０３ｂの位置が示されている。
【００３４】
まず、映像出力装置（放送受信装置）２０に接続される各外部機器１３１のリモコンコードを、リモートコントローラ（リモコン）１０に記憶させる動作について説明する。
【００３５】
ここでは、モード切替ＳＷ１０３ａは記憶モードに設定される（図２では通常モード）。また、リモコンコードを記憶したい外部機器（対応した外部機器）にスイッチが切り替え設定される（図２ではAUTO）。
【００３６】
このとき、映像出力装置（放送受信装置）２０から出力され、リモートコントローラ（リモコン）１０の赤外線リモコン受信機１０６で受信されたリモコン信号は、リモコンマイコン１０１へ送信されてデコード処理される。このデコード処理されたリモコンコードは、切り替え設定された外部機器（対応した外部機器）に対応づけてＥＥＰＲＯＭ１０２に記憶される。
【００３７】
次に、各外部機器１３１のリモコンコードが、リモートコントローラ（リモコン）１０に記憶された後の動作について説明する。
【００３８】
図２に示すように、ユーザによって、リモートコントローラ（リモコン）１０のモード切替ＳＷ１０３が通常モードに設定される。また、対応した外部機器（ここではＶＴＲ、ＤＶＤ、ＴＵＮＥＲ、i-LINK(R)）が選択され、設定されることにより、それぞれあらかじめ記憶された各外部機器のリモコンコードをＥＥＰＲＯＭ１０２から読み出して、映像出力装置（放送受信装置）２０へ向けて送信する。
【００３９】
ここでは、外部機器切替ＳＷ１０３ｂは、さらにＡＵＴＯモードを備えている。外部機器切替ＳＷ１０３ｂがＡＵＴＯモードに設定されていると、映像出力装置（放送受信装置）２０の赤外線リモコン送信機１１９から送出されるリモコン信号を、リモートコントローラ（リモコン）１０の赤外線リモコン受信機１０６にて受信し、リモコンマイコン１０１にてデコードする。リモコンマイコン１０１は、この赤外線リモコン送信機１１９から送出されるリモコン信号をデコードした結果から、後述する映像出力装置（放送受信装置）２０への接続が設定された外部機器１０３の機器ＩＤを判別し、外部機器１０３を特定する。
【００４０】
図３はこの発明の実施の形態を示すもので、映像出力装置（放送受信装置）２０に接続される外部接続機器１３１を設定する設定画面を示す図である。この設定はユーザによって行われる。設定結果は例えば、テレビマイコン１１０に記憶される。
【００４１】
この設定画面は例えばＣＲＴ１１７等の表示手段へ表示される。ユーザはこの設定画面を見ながら、図２に示す操作ボタン等を操作し、外部接続機器１３１を設定する。ここでは、外部接続機器１３１の例として、ＶＴＲ、ＤＶＤレコーダ、ゲーム、ＣＳデジタル、ＶＴＲが表示されている。これらを、例えば「カーソルキーで選び、決定キーを押す」、「終了キーで設定完了」等の操作によって設定する。
【００４２】
また、上記外部接続機器１３１の設定は、例えば、外部接続機器１３１が映像出力装置（放送受信装置）２０に接続されたことによる自動判別によって設定されてもよい。
【００４３】
図４はこの発明の実施の形態を示すもので、リモートコントローラ１０と映像出力装置（放送受信装置）２０のイベントフローを説明するフローチャートである。
【００４４】
符号２１０、符号２１２、符号２１４を付したステップは、主にリモートコントローラ（リモコン本体）１０に係るステップである。また、符号２１１、符号２１３を付したステップは、主に映像出力装置（ＴＶ本体）１０に係るステップである。
【００４５】
ステップ２１０は、リモートコントローラ（リモコン）１０に各外部機器１３１のリモコンコードを記憶し、操作機器切替ＳＷ（外部機器切替ＳＷ１０３ｂ）をＡＵＴＯにするステップである。
【００４６】
まず、リモートコントローラ１０では、図２に示すように、ユーザによってモード切替ＳＷ１０３ｂを記憶モードにし、例えばＶＴＲが映像出力装置（放送受信装置）２０に接続されている場合は外部機器切替ＳＷ１０３ｂをＶＴＲに切り替え、ＶＴＲに付属するＶＴＲリモコンの再生／停止等のリモコンコードを本システムのリモートコントローラ１０に記憶させる。また、ＤＶＤやＴＵＮＥＲなどが映像出力装置（放送受信装置）２０に接続されている場合は、同様の操作でリモートコントローラ１０にリモコンコードを記憶させる。この作業が終了したら、モード切替ＳＷを通常モード、外部機器切替ＳＷをＡＵＴＯに切り替える。続いてステップ２１１へ進む。
【００４７】
ステップ２１１は、ＴＶ（映像出力装置（ＴＶ本体））１０のビデオ入力表示設定にて各入力に接続されている外部接続機器を設定するステップである。
【００４８】
映像出力装置（ＴＶ本体）１０では、図３に示すように画面表示を用いてユーザによって、または外部接続機器に応じて自動的に、ＴＶ（映像出力装置（ＴＶ本体））１０の外部入力に接続されている外部接続機器が設定される。続いてステップ２１２へ進む。
【００４９】
ステップ２１２は、上記のように、リモートコントローラ（リモコン）１０に設定された入力切替キーをリモコン信号に変換して映像出力装置（ＴＶ本体）１０へ向けて送信（出力）するステップである。ここで、リモートコントローラ（リモコン）１０および映像出力装置（ＴＶ本体）１０の設定は完了する。ユーザによってリモートコントローラ（リモコン）１０の入力切換キーが操作されると、映像出力装置（ＴＶ本体）１０では、入力切換処理が実行される。例えば、ＶＴＲを接続機器に設定したビデオ１に切り替える。このとき映像出力装置（ＴＶ本体）１０のテレビマイコン１１０では、後述する図５に示すフローチャートの処理が実行される。続いてステップ２１３へ進む。
【００５０】
ステップ２１３は、映像出力装置（ＴＶ本体）１０において、リモートコントローラ（リモコン）１０から送信された入力切替キー（赤外線リモコン信号）を受信し、上記のように切替えた入力に設定された機器ＩＤを送信するステップである。続いてステップ２１４へ進む。
【００５１】
ステップ２１４は、リモートコントローラ（リモコン）１０において、映像出力装置（ＴＶ本体）１０から送信されたリモコンコード（赤外線リモコン信号）をデコードし、機器ＩＤを判別するステップである。
【００５２】
図５は、この発明の実施の形態を示すもので、映像出力装置（放送受信装置）２０の動作を説明するフローチャートである。
【００５３】
映像出力装置（放送受信装置）２０において、リモートコントローラ（リモコン）１０から送信されたリモコンコード（赤外線リモコン信号）を受信し、いわゆるリモコン割り込みが発生するとここでの開始（ＳＴＡＲＴ）ステップである。続いて符号３１０を付したステップへ進む。
【００５４】
ステップ３１０はリモートコントローラ（リモコン）１０から送信され、受信したリモコンコード（赤外線リモコン信号）をデコードするステップである。続いて符号３１１を付したステップへ進む。
【００５５】
ステップ３１１はデコードしたリモコンコード（赤外線リモコン信号）が有効なリモコンコードか否かを判定するステップである。デコードしたリモコンコード（赤外線リモコン信号）が有効であると判定された場合は符号３１２を付したステップへ進む（ＹＥＳ）。デコードしたリモコンコード（赤外線リモコン信号）が有効ではないと判定された場合は、ＥＮＤと表示した終了ステップへ進む（Ｎｏ）。
【００５６】
ステップ３１２は受信したキーデータに基づいてテレビマイコン１１０が処理を行うステップである。続いて符号３１３を付したステップへ進む。
【００５７】
ステップ３１３は入力ソース（外部接続機器１１３）の変化を監視し、入力ソース（外部接続機器１１３）に変化があるか否かを判定するステップである。入力ソース（外部接続機器１１３）に変化があると判定された場合は符号３１４を付したステップへ進む（ＹＥＳ）。入力ソース（外部接続機器１１３）に変化がないと判定された場合はＥＮＤと表示した終了ステップへ進む（Ｎｏ）。
【００５８】
ステップ３１４はビデオ入力表示設定から、接続された外部機器を検索するステップである。
【００５９】
この時、上記のように入力ソースに変化ありと判定されているので、図３に示す画面表示で設定されたビデオ入力表示設定から、接続された外部機器を検索する。続いて符号３１５を付したステップへ進む。
【００６０】
ステップ３１５は外部機器に応じたＩＤのリモコンコードを送出するステップである。例えば、外部機器がＶＴＲであれば０ｘ００、ＤＶＤであれば０ｘ０１、i-LINK(R)による接続機器であれば０ｘ０２等の機器ＩＤを送出する。続いてＥＮＤと表示した終了ステップへ進む。
【００６１】
終了ステップはここでの処理の終了である。
【００６２】
図６は、この発明の実施の形態を示すもので、リモートコントローラ（リモコン）１０の動作を説明するフローチャートである。
【００６３】
リモートコントローラ（リモコン）１０において、映像出力装置（放送受信装置）２０から送信されたリモコンコード（赤外線リモコン信号）を受信し、いわゆるリモコン割り込みが発生するとここでの開始（ＳＴＡＲＴ）ステップである。続いて符号４０１を付したステップへ進む。
【００６４】
ステップ４０１はリモートコントローラ（リモコン）１０から送信され、受信したリモコンコード（赤外線リモコン信号）をデコードするステップである。続いて符号４０２を付したステップへ進む。
【００６５】
ステップ４０２はデコードしたリモコンコード（赤外線リモコン信号）が有効なリモコンコードか否かを判定するステップである。デコードしたリモコンコード（赤外線リモコン信号）が有効であると判定された場合は符号４０３を付したステップへ進む（ＹＥＳ）。デコードしたリモコンコード（赤外線リモコン信号）が有効ではないと判定された場合は、ＥＮＤと表示した終了ステップへ進む（Ｎｏ）。
【００６６】
ステップ４０３はリモコンマイコン１０１が、受信したキーデータに基づいた処理、外部接続機器ＩＤの受信を行うステップである。続いて符号４０４を付したステップへ進む。
【００６７】
ステップ４０４は受信した外部機器ＩＤの変化を監視し、外部機器ＩＤに変化があるか否かを判定するステップである。外部機器ＩＤに変化があると判定された場合は符号４０５を付したステップへ進む（ＹＥＳ）。外部機器ＩＤに変化はないと判定された場合は、ＥＮＤと表示した終了ステップへ進む（Ｎｏ）。
【００６８】
ステップ４０５は外部機器切替ＳＷ１０３ｂがＡＵＴＯに設定されているか否かを判定するステップである。外部機器切替ＳＷ１０３ｂがＡＵＴＯに設定されていると判定された場合は符号４０６を付したステップへ進む（ＹＥＳ）。外部機器切替ＳＷ１０３ｂがＡＵＴＯに設定されていないと判定された場合は、ＥＮＤと表示した終了ステップへ進む（Ｎｏ）。
【００６９】
ステップ４０６は外部機器操作部のリモコンコードを指定された外部機器に設定するステップである。続いてＥＮＤと表示した終了ステップへ進む。
【００７０】
終了ステップはここでの処理の終了である。
【００７１】
この発明の実施の形態においては、ステップ４０３において外部機器ＩＤを認識し、ステップ４０４において外部機器ＩＤに変化があり、ステップ４０５において、外部機器切替ＳＷがＡＵＴＯに設定されていれば、外部機器操作部の再生／停止等のリモコンコードを該当する機器のリモコンコードに設定するようにしている。
【００７２】
すなわち、この発明に係るリモートコントローラ１０は、第１の操作モードにおいて映像出力装置２０に接続された外部機器１３１のうちの少なくとも一つが指定される外部機器指定手段（外部機器切替ＳＷ１０３ｂ）と、前記外部機器指定手段（外部機器切替ＳＷ１０３ｂ）で第１の外部機器が指定された際に、第１の外部機器から出力された第１の外部機器固有のリモコンコードを受信するリモコンコード受信手段１０６と、前記受信された第１の外部機器固有のリモコンコードを記憶するリモコンコード記憶手段１０２と、第２の操作モードにおいて映像出力装置２０と通信を行い、映像出力装置２０に第１の外部機器１３１が接続されていることを確認する外部機器確認手段１１０と、前記外部機器確認手段１１０で映像出力装置２０に第１の外部機器１３１が接続されていることが確認された場合は前記リモコンコード記憶手段１０２に記憶された第１の外部機器固有のリモコンコードを出力するリモコンコード出力手段１０５とを備えている。
【００７３】
また、この発明に係る映像出力装置２０は、映像出力装置２０に接続される外部機器１３１が設定される接続外部機器設定手段１１０と、リモートコントローラ１０と通信を行う通信手段（１１９、１２０）と、前記接続外部機器設定手段１１０で設定された情報に基づいて、前記通信手段（１１９、１２０）を用いて前記リモートコントローラ１０へ、映像出力装置２０に第１の外部機器１３１が接続されていることを通知する外部機器接続通知手段１１９と、前記通知に基づいて前記リモートコントローラ１０から出力された第１の外部機器固有のリモコンコードを、前記通信手段（１１９、１２０）を用いて受信するリモコンコード受信手段１２０と、前記受信した第１の外部機器固有のリモコンコードに基づいて第１の外部機器からの映像を出力する映像出力手段１１６とを備えている。
【００７４】
このように構成することによって、映像出力装置に接続された外部機器で使用されるリモコンコードを、映像出力装置を制御するリモコン（例えばＴＶリモコン）の記憶手段に記憶させておくことにより、例えばＴＶリモコンを用いて外部接続機器を制御することが可能となるという効果がある。またこのとき、例えばＴＶリモコンは、制御する外部接続機器を判別するので、誤動作を防止することが可能となるという効果がある。
【００７５】
上記説明においては映像出力装置の一例として放送受信装置を用いたが、この発明はこれに限定されるものではなく、放送受信機能を持たない映像出力装置においてもこの発明は実施可能である。
【００７６】
なお、この発明は上記した実施の形態そのままに限定されるものではなく、実施段階ではその趣旨を逸脱しない範囲で構成要素を種々変形して具体化することができる。
【図面の簡単な説明】
【００７７】
【図１】この発明の実施の形態を示すもので、映像出力装置（放送受信装置）、映像出力装置（放送受信装置）を制御するリモートコントローラ、外部接続機器の概略を示す図。
【図２】この発明の実施の形態を示すもので、映像出力装置（放送受信装置）を制御するリモートコントローラの概略を示す図。
【図３】この発明の実施の形態を示すもので、映像出力装置（放送受信装置）に接続される外部機器を設定する設定画面を示す図。
【図４】この発明の実施の形態を示すもので、リモートコントローラと映像出力装置（放送受信装置）のイベントフローを説明するフローチャート。
【図５】この発明の実施の形態を示すもので、映像出力装置（放送受信装置）の動作を説明するフローチャート。
【図６】この発明の実施の形態を示すもので、リモートコントローラの動作を説明するフローチャート。
【符号の説明】
【００７８】
１０…リモートコントローラ（リモコン）、２０…映像出力装置（放送受信装置）、１０１…リモコンマイコン、１０２…記憶手段（ＥＥＰＲＯＭ）、１０３…機器切替ＳＷ、１０３a…モード切替スイッチ、１０３b…外部機器切替ＳＷ、１０４…キー検出回路、１０５…赤外線リモコン送信機、１０６…赤外線リモコン受信機、１１０…テレビマイコン、１１１…アンテナ、１１２…受信回路、１１３…オンスクリーン表示発生回路、１１４…ＩＥＥＥ１３９４制御マイコン、１１５…映像・音声切換制御回路、１１６…映像・音声出力処理回路、１１７…表示部（ＣＲＴ）、１１８…スピーカ、１１９…赤外線リモコン送信機、１２０…赤外線リモコン受信機、１３０…i-LINK(R)対応デジタル機器、１３１…外部接続機器。
【図１】
2006013564.tif 000003
【図２】
2006013564.tif 000004
【図３】
2006013564.tif 000005
【図４】
2006013564.tif 000006
【図５】
2006013564.tif 000007
【図６】
2006013564.tif 000008